(57)【特許請求の範囲】
【請求項１】
少なくとも前後一対の針床を備え、前後の針床間で編目の目移しが可能な横編機を用いて立体的な編地を編成するにあたり、まず立体編地の一面となる編出し面を編成し、その編出し面を足掛かりにして立体編地の残りの面を編成する立体編地の編成方法であって、
下辺、上辺、右辺、および左辺の四辺を備えるベース編地部を、四辺のうちの少なくとも三辺が針床に係止された状態となるように編成するベース編成工程と、
ベース編地部の少なくとも一辺からその一辺よりも編幅の小さな突出編地部を編成して、ベース編地部と突出編地部とからなる編出し面を完成させる突出編成工程と、を備え、
前記ベース編成工程では、前後少なくとも一方の針床で複数の編目を形成し、それら編目からなる編出し編目列に続く新たな編目列を編成することでベース編地部の編成コースを増し、その新たな編目列を編幅方向の一方に移動させ、かつ当該移動により空針となった編針と、移動させた新たな編目列の移動方向端部にほぼ対向する空針とに、前記左辺および右辺の一部となる掛け目を形成することを繰り返し、
前記突出編成工程では、
ベース編地部の一辺を構成する編目列の一部を編幅方向の外方に移動させ、その移動によって空針となった編針に掛け目を編成して、突出編地部の一方の側辺の一部を形成すること、
その空針に近接する編目列に続く新たな編目列を編成して、突出編地部の編成コースを増すこと、及び
前記近接する編目列における前記移動によってできた空針とは反対側の端部に近接する空針に掛け目を編成して、突出編地部の他方の側辺の一部を形成すること、
を繰り返すことを特徴とする立体編地の編成方法。
【請求項２】
ベース編地部の一辺における編幅方向の中間部から突出編地部を編成する場合、
突出編成工程において、
ベース編地部の一辺を構成する編目列のうち、編幅方向中間部にある中間編目列の両隣りの編目列を、中間編目列と同じ針床における中間編目列から離れた位置に移動させ、その移動によってできる中間編目列を挟む２つの空針と中間編目列とに続く新たな編目列を編成することを繰り返すことを特徴とする請求項１に記載の立体編地の編成方法。
【請求項３】
ベース編地部の一辺における編幅方向の少なくとも一方の端部から突出編地部を編成する場合、
突出編成工程において、
ベース編地部の一辺を構成する編目列のうち、前記端部を含む端部編目列を、残りの編目列と同じ針床における残りの編目列から離れた位置に移動させ、その移動によってできた空針と、移動させた端部編目列と、移動させた端部編目列の移動方向端部にほぼ対向する空針と、に続く新たな編目列を編成することを繰り返すことを特徴とする請求項１に記載の立体編地の編成方法。
【請求項４】
端部編目列の移動方向に、端部編目列と同じ針床に係止される別の辺の編目列がある場合、その編目列を端部編目列に対向する針床に回し込んでから突出編成工程を行うことを特徴とする請求項３に記載の立体編地の編成方法。
【請求項５】
少なくとも前後一対の針床を備え、前後の針床間で編目の目移しが可能な横編機を用いて編成された立体編地であって、
立体編地を構成する面のうちの一面で、かつ最初に編成される面であり、四辺を備えるベース編地部と、その四辺の少なくとも一辺から突出する突出編地部とを備える編出し面と、
編出し面の少なくとも三辺のそれぞれに連結される面であって、各辺を構成する編目列のウエール方向に連続する編目からなる連結面と、
を備える立体編地。
【発明の詳細な説明】
【技術分野】
【０００１】
本発明は、ソファーカバーのような複雑な形状の立体編地を編成するための立体編地の編成方法、およびその編成方法で編成された立体編地に関するものである。
【背景技術】
【０００２】
特許文献１には、横編機を用いて３次元的な輪郭形状を有する立体編地を編成する方法が開示されている。この特許文献１の技術では、横編機の前後の針床に交互に編目を形成し、それら編目からなる編目列を足掛かりにして矩形の編地を編成するにあたり、その矩形編地の四辺が全て針床に係止された状態となるように編成している。そして、その四辺が全て針床に係止される矩形の編地を立体編地の底面として、四辺に対して周回編成を行うことで、底面に続く立体編地の四側面を編成している。
【先行技術文献】
【特許文献】
【０００３】
【特許文献１】国際公開第２００８／１４３１７２号
【発明の概要】
【発明が解決しようとする課題】
【０００４】
上記特許文献１の編成方法であれば、同文献の実施形態に示されるように、立方体状や四角錐状の立体編地、あるいはスリッパやバッグ、手袋など、種々の立体編地を編成することができる。しかし、特許文献１の方法では、矩形以外の形状を底面にすることは難しい。
【０００５】
本発明は上記事情に鑑みてなされたものであり、その目的の一つは、従来よりも複雑な形状の立体編地を編成することができる立体編地の編成方法、およびその編成方法を適用して編成された立体編地を提供することにある。
【課題を解決するための手段】
【０００６】
本発明立体編地の編成方法は、少なくとも前後一対の針床を備え、前後の針床間で編目の目移しが可能な横編機を用いて立体的な編地を編成するにあたり、まず立体編地の一面となる編出し面を編成し、その編出し面を足掛かりにして立体編地の残りの面を編成する立体編地の編成方法である。そして、本発明立体編地の編成方法は、下辺、上辺、右辺、および左辺の四辺を備えるベース編地部を、四辺のうちの少なくとも三辺が針床に係止された状態となるように編成するベース編成工程と、ベース編地部の少なくとも一辺からその一辺よりも編幅の小さな突出編地部を編成して、ベース編地部と突出編地部とからなる編出し面を完成させる突出編成工程と、を備える。
【０００７】
上記ベース編成工程では、前後少なくとも一方の針床で複数の編目（ここでいう編目には掛け目も含まれる）を形成し、それら編目からなる編出し編目列に続く新たな編目列を編成することでベース編地部の編成コースを増し、その新たな編目列を編幅方向の一方に移動させ、かつ当該移動により空針となった編針と、移動させた新たな編目列の移動方向端部にほぼ対向する空針とに、前記左辺および右辺の一部となる掛け目を形成することを繰り返す。
【０００８】
上記突出編成工程では、次のことを繰り返す。
ベース編地部の一辺を構成する編目列の一部を編幅方向の外方に移動させ、その移動によって空針となった編針に掛け目を編成して、突出編地部の一方の側辺の一部を形成する。
その空針に近接する編目列に続く新たな編目列を編成して、突出編地部の編成コースを増す。
前記近接する編目列における前記移動によってできた空針とは反対側の端部に近接する空針に掛け目を編成して、突出編地部の他方の側辺の一部を形成する。
【０００９】
また、本発明立体編地の編成方法の一形態として、ベース編地部の一辺における編幅方向の中間部から突出編地部を編成する場合、例えば、後述する図２（Ｅ），図３〜５を参照して説明する実施形態に示すような『凸』状の編出し面を編成する場合、特に突出編成工程を以下のように行うことが好ましい。具体的には、突出編成工程において、ベース編地部の一辺を構成する編目列のうち、編幅方向中間部にある中間編目列の両隣りの編目列を、中間編目列と同じ針床における中間編目列から離れた位置に移動させ、その移動によってできる中間編目列を挟む２つの空針と中間編目列とに続く新たな編目列を編成することを繰り返す。
【００１０】
また、本発明立体編地の編成方法の一形態として、ベース編地部の一辺における編幅方向の少なくとも一方の端部から突出編地部を編成する場合、即ち、後述する図２（Ｆ），図６〜８を参照して説明する実施形態に示すような『凹』状の編出し面を編成する場合、特に突出編成工程を以下のように行うことが好ましい。具体的には、突出編成工程において、ベース編地部の一辺を構成する編目列のうち、前記端部を含む端部編目列を、残りの編目列と同じ針床における残りの編目列から離れた位置に移動させ、その移動によってできた空針と、移動させた端部編目列と、移動させた端部編目列の移動方向端部にほぼ対向する空針と、に続く新たな編目列を編成することを繰り返す。
【００１１】
ここで、端部編目列の移動方向に、端部編目列と同じ針床に係止される別の辺の編目列がある場合、その編目列を端部編目列に対向する針床に回し込んでから突出編成工程を行うことが好ましい。これは、端部編目列の編成を円滑に行うための処理である。
【００１２】
また、本発明立体編地は、少なくとも前後一対の針床を備え、前後の針床間で編目の目移しが可能な横編機を用いて編成されたものである。この立体編地は、立体編地を構成する面のうち、最初に編成される面であり、四辺を備えるベース編地部と、その四辺の少なくとも一辺から突出する突出編地部とを備える編出し面と、編出し面の少なくとも三辺を構成する編目列のウエール方向に連続する編目からなる複数の連結面と、を備える。
【発明の効果】
【００１３】
本発明立体編地の編成方法によれば、従来よりも複雑な形状の本発明立体編地を編成することができる。これは、立体編地で最初に編成される編出し面が、ベース編地部とそのベース編地部の一辺から突出する突出編地部とからなり、従来の矩形の編出し面よりも多くの辺を持つからである。
【図面の簡単な説明】
【００１４】
【図１】実施形態で編成するソファーカバーの写真であって、（Ａ）は座面側から見た写真、（Ｂ）は背面側から見た写真である。
【図２】図１のソファーカバーの編成順序を説明する図であって、（Ａ）は正面図、（Ｂ）は右側面図、（Ｃ）は背面図、（Ｄ）は上面図である。また、（Ｅ）は『凸』状の背面の概略図、（Ｆ）は『凹』状の前端面の概略図である。
【図３】『凸』状の背面を編成する編成工程の前半部分を示す編成工程図である。
【図４】図３に続く編成工程の後半部分を示す編成工程図である。
【図５】編成工程の要所における『凸』状の背面の係止状態を示す模式図である。
【図６】『凹』状の前端面を編成する編成工程の前半部分を示す編成工程図である。
【図７】図６に続く編成工程の後半部分を示す編成工程図である。
【図８】編成工程の要所における『凹』状の前端面の係止状態を示す模式図である。
【図９】変形実施形態に示す編出し面のベースの概略図であって、（Ａ）はドーム状のベース編地部を、（Ｂ）は台形状のベース編地部を示す概略図である。また、（Ｃ）は十字架状の編出し面の概略図である。
【発明を実施するための形態】
【００１５】
以下、左右方向に延び、かつ、前後方向に互いに対向する前後一対の針床を有し、前後の針床間で編目の目移しが可能な２枚ベッドの横編機を用いて、図１に示すソファーカバーを編成する例を説明する。もちろん、このソファーカバーは、２枚ベッドの横編機の他に、トランスファージャックベッドを備える横編機や、４枚ベッドの横編機で編成することもできる。
【００１６】
横編機を用いて図１に示すソファーカバーを無縫製で編成するには、大別して２つの方法が考えられる。まず一つ目は、図２（Ｅ）に示すように、『凸』状のソファーカバーの背面１を編成し、その背面１を編出し面として、ソファーカバーの前端面に向かって図２（Ａ）〜（Ｄ）に示す矢印中の数字の順番で編成を行う方法が挙げられる。二つ目は、図２（Ｆ）に示すように、『凹』状のソファーカバーの前端面２を編成し、その前端面２を編出し面として、ソファーカバーの背面に向かって編成を行う方法が挙げられる。
【００１７】
＜実施形態１＞
『凸』状のソファーカバーの背面からソファーカバーの編成を開始する場合、図２（Ａ）〜（Ｄ）に示す編成手順に従ってソファーカバー１００の各部を編成する。図２（Ｅ）に示す『凸』状の背面１は、矩形のベース編地部１０と、このベース編地部１０の一辺（ソファーカバーの上方側の辺）から突出する矩形の突出編地部１１とからなる。このとき、『凸』状の背面１に備わる辺のうち、ソファーカバーの下方側の辺（図中の辺ａ−ｂ）を除く全ての辺が、針床に係止された状態とする。この『凸』状の背面１を編成する編成工程を図３〜５に基づいて説明する。
【００１８】
図３，４において、「アルファベット＋数字」は編成工程の番号を、Ａ〜Ｚ，Ａ´〜Ｅ´は前針床（ＦＢ）および後針床（ＢＢ）の編針の位置を、ａ〜ｈは図２（Ｅ）に示す『凸』状の背面１の各頂点に対応する針床上の位置を示す。この図３，４の編成工程における○は編目、Ｖは掛け目であり、各編成工程で実際に編成動作を行った部分は太線で示す。また、これら図３，４の編成工程の要所における背面１の係止状態の模式図を図５に示す。なお、説明の便宜上、図３，４に示される編針の本数は、実際の編成よりも少なくしているし、図３，４における掛け目や編目の係止数と、図５における掛け目や編目の係止数とは一致していない。
【００１９】
『凸』状の背面１を編成するにあたり、ＦＢの編針Ｇ，Ｉ，Ｋ，Ｍ，Ｏ，ＱとＢＢの編針Ｈ，Ｊ，Ｌ，Ｎ，Ｐ，Ｒに交互に掛け目を編成する（Ｓ１）。次いで、ＦＢの編針Ｓに掛け目を編成した後、ＢＢの掛け目からなる編出し編目列に続く新たな編目列を編成する（Ｓ２）。このＳ２で編成した掛け目は、Ｓ２で編成し、次のＳ３で移動させる編目列の移動方向端部の編目にほぼ対向する位置にあり、図２（Ｅ）に示す辺ｄ−ｂ（右辺）の一部となる。
【００２０】
次に、ＢＢに係止される編目を２針分ずつ紙面右方向に移動させ（Ｓ３）、その後、Ｓ３の移動によって空針となったＢＢの編針Ｈに掛け目を編成してから、Ｓ３で移動させた編目列のウエール方向に続く新たな編目列を編成する（Ｓ４）。ここで、Ｓ４で編成した掛け目は、図２（Ｅ）に示す辺ｃ−ａ（左辺）の一部となる。
【００２１】
さらに、ＦＢの編針Ｕに掛け目を形成した後、Ｓ２で編成し、Ｓ３で移動させた編目列に続く新たな編目列を編成し（Ｓ５）、Ｓ５で編成した編目列を紙面右方向に２針分ずつ移動させる（Ｓ６）。そして、Ｓ６の目移しで空針となったＢＢの編針Ｊに掛け目を形成した後、Ｓ６で目移しした編目列に続く新たな編目列を編成する（Ｓ７）。
【００２２】
以降、Ｓ５〜Ｓ７と同様の編成を繰り返し、図２（Ｅ）に示す矩形のベース編地部１０（ｃ−ｄ−ｂ−ａ）を完成させる。このベース編地部１０の各辺の係止状態を図４のＳ８、および図５（Ａ）に示す。ベース編地部１０における辺ｃ−ａ（左辺）、ａ−ｂ（下辺）はＢＢに係止され、辺ｂ−ｄ（右辺）、ｄ−ｃ（上辺）はＦＢに係止される。
【００２３】
次に、このベース編地部１０の一辺である辺ｃ−ｄから突出する突出編地部１１を編成する。突出編地部１１の編成にあたり、本実施形態では辺ａ−ｂを伏せ目処理する。この伏せ目処理は、ソファーカバー１００の下部の開口部を形成するための処理であって、公知の方法を利用することができる。伏せ目処理したベース編地部１０の係止状態を図４のＳ９、および図５（Ｂ）に示す。
【００２４】
Ｓ９の状態から、ベース編地部１０の辺ｃ−ｄの中間部分から突出する突出編地部１１を編成する。その編成にあたり、ＦＢに係止されるベース編地部１０の辺ｃ−ｄ、辺ｄ−ｂを形成する掛け目のうち、編針Ｋ，Ｍに係止される掛け目からなる辺ｃ−ｄの中間編目列はそのままにして、残りの掛け目を編針Ｋ，Ｍに係止される掛け目から離れる方向に、目移しする（Ｓ１０、図５（Ｃ））。また、Ｓ１０では、ＢＢに係止される辺ｃ−ａを形成する掛け目も、編幅方向の外側に向かって２針分ずつ移動させる。ＢＢに係止される掛け目の移動は、頂点ｃ近傍におけるＦＢとＢＢ間の渡り糸が間延びしないために行うものである。このＳ１０の目移しにより、図５（Ｃ）に示すように、ベース編地部１０の辺ｃ−ｄの編幅内に空針（ＦＢの編針Ｉ，Ｏ）が形成される。
【００２５】
次いで、給糸口を一方向に移動させる間に、Ｓ１０の目移しにより空針となったＦＢの編針Ｉ，Ｏに掛け目を編成すると共に、ＦＢの編針Ｋ，Ｍに係止される編目列に続く新たな編目列を形成する（Ｓ１１、図５（Ｄ））。Ｓ１１で編成したＦＢの編針Ｉの掛け目は辺ｅ−ｇの一部を、編針Ｏの掛け目は辺ｆ−ｈの一部となる。
【００２６】
次いで、ＦＢの編針Ｋ，Ｍに係止される編目列を中間編目列として、Ｓ１０と同様に、中間編目列のみをそのままに、ＦＢおよびＢＢに係止される掛け目を、当該編目列から離れる方向に２針分ずつ目移しする（Ｓ１２）。そして、Ｓ１１と同様に、Ｓ１２の目移しによって空針となったＦＢの編針Ｉ，Ｏに掛け目を形成すると共に、ＦＢの編針Ｋ，Ｍに係止される編目列に続く新たな編目列を編成する（Ｓ１３）。以降は、Ｓ１２，１３と同様の編成を繰り返すことで、Ｓ１４に示すように、辺ａ−ｂを除く全ての辺がＦＢもしくはＢＢに係止された背面１が編成される。
【００２７】
以上説明した背面１の編成が終了したら、この背面１を編出し面として、図２（Ａ）〜（Ｄ）に示すソファーカバー１００を編成する。具体的には、Ｓ１４に示すＦＢとＢＢに係止される掛け目と編目に対してＣ字状の引き返し編成を行い、図２（Ｂ），（Ｄ）に示すように、ソファーのヘッドレストの上面と側面、および背もたれの側面に対応する部分（連結面）を編成する。以降は、図２（Ａ）〜（Ｄ）に示す矢印中に示される数字の順番に従って、ヘッドレストの前面（図２（Ａ））→背もたれ（図２（Ａ））→座面およびアームレストを含む本体（図２（Ｂ），（Ｄ））→前端面（図２（Ａ））に対応する部分の編成を行い、最後に前端面の下端部を伏せ目処理することで、ソファーカバー１００を完成させる。なお、前端面の左右の編成順序は入れ替え可能である。
【００２８】
＜実施形態２＞
『凹』状のソファーカバーの前端面を編成し、その前端面に連続して無縫製でソファーカバーを編成する場合、図２（Ａ）〜（Ｄ）を参照した手順とは逆に、前端面２（図２（Ｆ）参照）→座面およびアームレストを含む本体→背もたれ→ヘッドレストの前面→本体背面に対応する部分の編成を行い、ソファーカバー１００を完成させる。以下、『凹』状の前端面２の編成工程図である図６，７、および編成工程の要所における前端面２の係止状態を示す模式図である図８を参照しつつ、『凹』状の前端面２の編成手順を説明する。なお、図６，７の見方は図３，４と同様、図８の見方は図５と同様である。
【００２９】
『凹』状の前端面２を編成するにあたり、ＢＢの編針Ｂ，Ｄ，Ｆ，Ｈ，Ｊ，Ｌ，Ｎに掛け目を編成する（Ｔ１）。次いで、ＦＢの編針Ｏに掛け目を編成した後、ＢＢの掛け目に続く新たな編目列を編成する（Ｔ２）。Ｔ２で編成した掛け目は、次のＴ３で移動させる編目列の移動方向端部の編目にほぼ対向する位置にあり、図２（Ｆ）に示す辺ｉ−ｏの一部となる。
【００３０】
次に、ＢＢに係止される編目を２針分ずつ紙面右方向に移動させ（Ｔ３）、その後、Ｔ３の目移しにより空針となったＢＢの編針Ｂに掛け目を編成すると共に、Ｔ３で目移しした編目列に続く新たな編目列を編成する（Ｔ４）。Ｔ４で編成した掛け目は、図２（Ｆ）に示す辺ｊ−ｌの一部となる。
【００３１】
以降は、Ｔ２〜Ｔ４と同様の編成を繰り返すことで、Ｔ５および図８（Ａ）に示すように、矩形のベース編地部２０（図２（Ｆ））が編成される。このベース編地部２０における辺ｊ−ｌ、ｌ−ｏはＢＢに係止され、辺ｉ−ｏはＦＢに係止される。
【００３２】
ベース編地部２０が完成したら、ＢＢの編針Ｂ，Ｄ，Ｆに編成したベース編地部２０の辺ｊ−ｌの掛け目をそれぞれ、ＦＢの編針Ｋ，Ｉ，Ｇに目移しする（Ｔ６、図８（Ｂ））。この目移しは、後述するように、突出編地部２１を編成する際、その突出編地部２１の編目列を編成できるようにＢＢの編針を空けておくためである。
【００３３】
次に、図７のＴ７に示すように、ベース編地部２０の辺ｌ−ｏを構成する編目のうち、ＢＢの編針Ｈ，Ｊに係止される紙面左側の端部編目列を紙面左側に２針分ずつ目移しすると共に、ＢＢの編針Ｔ，Ｒに係止される紙面右側の端部編目列を紙面右側に２針分ずつ目移しする（図８（Ｃ））。そして、ＢＢの編針Ｊ，Ｈ，ＦとＦＢの編針Ｅに給糸して突出編地部２１の一部となる編目列を編成すると共に、ＢＢの編針Ｒ，Ｔ，ＶとＦＢの編針Ｕに給糸して、突出編地部２２の一部となる編目列を編成する（Ｔ８、図８（Ｄ））。Ｔ８でＦＢの編針Ｅ、ＢＢの編針Ｊ、ＢＢの編針Ｒ、およびＦＢの編針Ｕに編成した掛け目はそれぞれ、図２（Ｆ）の辺ｌ−ｎ、ｋ−ｍ、ｐ−ｒ、およびｏ−ｑの一部となる。
【００３４】
以降、Ｔ９に示す目移しと、Ｔ１０に示す編目列の編成を繰り返し、図２（Ｆ）に示す前端面２を完成させる。完成した前端面２の針床における係止状態をＴ１１に示す。
【００３５】
Ｔ１１に示すように、前端面２の辺ｊ−ｌ，ｌ−ｎ，ｉ−ｏ，ｏ−ｑはＦＢに、辺ｎ−ｍ，ｍ−ｋ，ｋ−ｐ，ｐ−ｒ，ｒ−ｑはＢＢに係止され、これらの辺に続く編目列を編成できる状態にある。そこで、この前端面２を編出し面として、図２（Ａ）〜（Ｄ）の白抜き矢印と数字で示した編成順序とは逆の編成順序で編成を行うことで、ソファーカバー１００を完成させることができる。ただし、図２（Ｃ）に示す背面については、上端から下端に向かって編成を行い、下端の位置で伏せ目処理する。
【００３６】
ここで、図６，７を用いた編成工程では、突出編地部２１，２２の編成に２つの給糸口を使用したが、両突出編地部２１，２２を１つの給糸口で編成することもできる。その場合、突出編地部２１を上端まで編成したら、図２（Ｆ）のｎ→ｍ→ｋ→ｐに向かって編成を行い、突出編地部２２の編成を開始すれば良い。
【００３７】
＜変形実施形態＞
なお、本発明は、上述した実施形態に限定されるわけではなく、本発明の要旨を逸脱しない範囲で上述した実施形態を適宜変更して実施することができる。例えば、上述した図２（Ｅ），（Ｆ）のベース編地部１０（２０）は矩形であるが、辺ｃ−ｄ（ｌ−ｏ）の編幅を徐徐に小さくする引き返し編成を行うことで、矩形以外のベース編地部１０（２０）を編成することができる。例えば、図９（Ａ）に示すように、ベース編地部を編成する過程でベース編地部の編幅方向中央に向けて編幅方向の両端から順次編幅を減らす引き返し編成を行うことで、ドーム型のベース編地部３０を編成できる。また、図９（Ｂ）に示すように、ベース編地部を編成する過程でベース編地部の編幅方向の一端側を基点として編幅を順次減らす引き返し編成を行うことで、台形状のベース編地部４０を編成できる。
【００３８】
その他、図２（Ｅ）に示すベース編地部１０において、突出編地部１１を編成する辺ｃ−ｄに対向する辺ａ−ｂや、辺ａ−ｃ、辺ｂ−ｄにも突出編地部１１を形成しても良い。例えば、辺ｃ−ｄに突出編地部１１を形成する場合、図４のＳ１０で伏せ目処理を行わずに、辺ａ−ｂについてもベース編地部１０から突出する突出編地部を編成すれば、図９（Ｃ）に示す十字架状の編出し面を編成できる。
【符号の説明】
【００３９】
１００  ソファーカバー
１  背面（編出し面）    １０  ベース編地部  １１  突出編地部
２  前端面（編出し面）    ２０  ベース編地部  ２１，２２  突出編地部
３０  ドーム状のベース編地部
４０  台形状のベース編地部
【図２】
0005618742.tif 000002
【図３】
0005618742.tif 000003
【図４】
0005618742.tif 000004
【図５】
0005618742.tif 000005
【図６】
0005618742.tif 000006
【図７】
0005618742.tif 000007
【図８】
0005618742.tif 000008
【図９】
0005618742.tif 000009
【図１】
0005618742.tif 000010